【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
複数の画像処理機能中から選択される画像処理機能を実行する画像処理装置と、前記画像処理装置に転送する印刷データを生成する情報処理装置とから構成される印刷システムであって、
前記情報処理装置は、
複数の画像処理機能の動作状態を示す情報を前記画像処理装置から取得し、
生成された印刷データを前記画像処理装置に転送する処理を実行すると共に、取得された情報に基づいて、複数の画像処理機能の動作状態を表示部に表示することを特徴とする印刷システム。
【請求項２】
情報処理装置からの印刷要求に基づいて、或いは操作部より指示される画像処理要求に基づいて、複数の画像処理機能中から選択される画像処理機能を実行する画像処理装置であって、
複数の画像処理機能の動作状態を示す情報を取得する取得手段と、
前記取得手段により取得された情報を格納手段に一元的に管理する管理手段と、
前記取得手段により取得された情報が示す動作状態の変化を監視し、動作状態が変換するに応じて、前記格納手段に格納されている情報を更新する制御手段とを有することを特徴とする画像処理装置。
【請求項３】
複数の画像処理機能中から選択される画像処理を実行する画像処理装置と通信して、印刷データを転送する情報処理装置であって、
前記画像処理装置に転送する印刷データを生成する生成手段と、
複数の画像処理機能の動作状態を示す情報を前記画像処理装置から取得する取得手段と、
前記生成手段により生成された印刷データを前記画像処理装置に転送する処理を実行すると共に、前記取得手段により取得された情報に基づいて、複数の画像処理機能の動作状態を表示部に表示する表示制御手段とを有することを特徴とする情報処理装置。
【請求項４】
取得した情報に基づいて、複数の画像処理機能の動作状態を１画面上に表示することを特徴とする請求項３に記載の情報処理装置。
【請求項５】
生成された印刷データを前記画像処理装置に転送していることを表示部に表示することを特徴とする請求項３或いは４に記載の情報処理装置。
【請求項６】
前記表示制御手段は、前記取得手段により取得された情報に基づいて、複数の画像処理機能の動作状態を１画面上にグラフィックス、テキストまたはアニメーションにより表示可能であることを特徴とする請求項３乃至５のいずれかに記載の情報処理装置。
【請求項７】
前記表示制御手段は、前記取得手段により取得された情報に基づいて、優先度の高い画像処理機能が前記画像処理装置で実行されるか否かを判定し、優先度の高い処理機能が実行されると判定されるに応じて、優先度の高い画像処理機能の動作状態を強調表示することを特徴とする請求項３乃至６のいずれかに記載の情報処理装置。
【請求項８】
前態表示制御手段は、優先度の高い画像処理機能の動作状態を示すテキストを表示部の所定領域にレイアウトして強調表示することを特徴とする請求項３乃至７のいずれかに記載の情報処理装置。
【請求項９】
画像処理機能は、情報処理装置からのデータに基づいて印刷を行なうプリンタ機能と、コピー機能と、ファックス機能とを含むことを特徴とする請求項３乃至８のいずれかに記載の情報処理装置。
【請求項１０】
情報処理装置からの印刷要求に基づいて、或いは操作部より指示される画像処理要求に基づいて、複数の画像処理機能中から選択される画像処理機能を実行する画像処理装置の制御方法であって、
複数の画像処理機能の動作状態を示す情報を取得し、
取得された情報を格納手段に管理し、
取得された情報が示す動作状態の変化を監視し、動作状態が変換するに応じて、前記格納手段に格納されている情報を更新することを特徴とする制御方法。
【請求項１１】
複数の画像処理機能中から選択される画像処理を実行する画像処理装置と通信して、生成した印刷データを転送する情報処理装置における状態表示方法であって、
複数の画像処理機能の動作状態を示す情報を前記画像処理装置から取得し、
生成された印刷データを前記画像処理装置に転送する処理を実行すると共に、取得された情報に基づいて、複数の画像処理機能の動作状態を表示部に表示することを特徴とする状態表示方法。
【請求項１２】
複数の画像処理機能中から選択される画像処理を実行する画像処理装置と通信して、印刷データを転送する情報処理装置を制御するプログラムであって、
前記画像処理装置に転送する印刷データを生成する生成ステップと、
複数の画像処理機能の動作状態を示す情報を前記画像処理装置から取得する取得ステップと、
前記生成ステップにより生成された印刷データを前記画像処理装置に転送する処理を実行すると共に、前記取得ステップにより取得された情報に基づいて、複数の画像処理機能の動作状態を表示部に表示する表示制御ステップとを情報処理装置に実行させることを特徴とするプログラム。
【請求項１３】
前記表示制御ステップでは、生成された印刷データを前記画像処理装置に転送していることを表示部に表示することを特徴とする請求項１２に記載のプログラム。
【請求項１４】
前記表示制御ステップでは、前記取得ステップで取得された情報に基づいて、複数の画像処理機能の動作状態を１画面上にグラフィックス、テキスト、アニメーションにより表示可能であることを特徴とする請求項１２或いは１３に記載のプログラム。
【請求項１５】
前記表示制御ステップでは、前記取得ステップで取得された情報に基づいて、優先度の高い画像処理機能が前記画像処理装置で実行されるか否かを判定し、優先度の高い処理機能が実行されると判定されるに応じて、優先度の高い画像処理機能の動作状態を強調表示することを特徴とする請求項１２乃至１４のいずれかに記載のプログラム。
【請求項１６】
前態表示制御ステップでは、優先度の高い画像処理機能の動作状態を示すテキストを表示部の所定領域にレイアウトして強調表示することを特徴とする請求項１２乃至１５のいずれかに記載のプログラム。
【請求項１７】
画像処理機能は、情報処理装置からのデータに基づいて印刷を行なうプリンタ機能と、コピー機能と、ファックス機能とを含むことを特徴とする請求項１２乃至１６のいずれかに記載のプログラム。
【手続補正２】
【補正対象書類名】明細書
【補正対象項目名】０１６０
【補正方法】変更
【補正の内容】
【０１６０】
【発明の効果】
以上説明したように、本発明によれば、画像処理装置で動作可能な各画像処理機能の動作状態をユーザに通知して、ユーザに各画像処理機能の状態を認知させ、利便性に優れた表示画面を提供することができる。


【手続補正３】
【補正対象書類名】明細書
【補正対象項目名】０１６１
【補正方法】変更
【補正の内容】
【０１６１】
または、生成される印刷データの転送に先立ち、画像処理装置に対して最新の画像処理機能の動作状態を示す情報を要求し、ユーザが印刷要求を発行した時点で、画像処理装置のプリント機能以外の画像処理機能の動作状態がどうなっているかを含む画像処理装置全体の画像処理機能の動作状態をユーザに明示し、複合機能処理を行う画像処理装置における全ての画像処理機能の動作状態をユーザに認知させることができる。


【手続補正４】
【補正対象書類名】明細書
【補正対象項目名】０１６２
【補正方法】変更
【補正の内容】
【０１６２】
従って、情報処理装置から画像処理装置に対する印刷要求時に、ユーザは、複数の機能処理を実行可能な画像処理装置における各機能処理の動作状態を同時に確認することができ、画像処理装置でリアルタイムに発生している複数の機能処理の動作状態を容易に理解できる。


【手続補正５】
【補正対象書類名】明細書
【補正対象項目名】０１６３
【補正方法】変更
【補正の内容】
【０１６３】
または、印刷要求に対応する印刷処理が現在実行されているのか、或いは他の機能処理によって当該印刷処理が止められているのかを確認することができる。そして、情報処理装置は、このような操作環境を自在に構築することができる等の効果を奏する。